(57)【要約】【課題】壁際に置いた家具類の裏に設置されている、壁付きコンセントは延長コードを繋ぎテーブルタップを家具類の前の床上に出して使用するが、テーブルタップ本体が固定されないため、プラグの抜き差しを両手でする必要があり面倒である。また床上に自在に置かれたテーブルタップ本体は人の移動や掃除の時に邪魔になる。【解決手段】  テーブルタップ本体の裏面をＬ字型の踏み板１ａの縦片Ｂに、止めビス７で装着し、横片の踏み面Ａを家具類の任意の位置の下端部６と床面８の間に挟み込めば、家具類の重さでテーブルタップ本体の位置が固く固定され、壁付きコンセントと同様に片手でプラグの抜き差しが出来き、室内も整頓される。【選択図】図１
2016131140.tif 000002
【特許請求の範囲】
【請求項１】
テーブルタップの本体に、踏み面が構成された踏み板が装着され、室内の家具類と床面との間に踏み面をはさみ家具類の重さで、踏み板と一体となったテーブルタップ本体の位置を固定することを目的とする踏み板付きテーブルタップ。
【請求項２】
請求項１の踏み板を金属製のＬ字型の踏み板１ａとし、縦片Ｂは止めビス７によるテーブルタップ本体の裏面との装着面、横片は家具類の下へ差し込む踏み面Ａとした裏面装着型テーブルタップ２ａ。
【請求項３】
請求項１の踏み板を金属製のＬ字型の踏み板１ａとし、横片の踏み面Ａは家具類の下へ差し込まれた状態で縦片Ｂは独立解放していて、テーブルタップ本体の裏面側には縦片Ｂが挿入されるガイド４が設けられている、使用時は縦片Ｂに挿入して設置する挿入型テーブルタップ２ｂ。
【請求項４】
請求項１の踏み板を金属製か樹脂製の平板型の踏み板１ｂとし、一方を家具類の下へ差し込む踏み面Ａとし、他方はテーブルタップ本体の側面が止めビス７により装着される、平板型の踏み板１ｂを採用した側面装着型テーブルタップ２ｄ。
【請求項５】
請求項１の踏み板を金属製か樹脂製の平板型の踏み板１ｂとし、一方を家具類の下へ差し込む踏み面Ａとし、他方をテーブルタップ本体の裏面が止めビス７により装着される、平板型の踏み板１ｂを採用した裏面装着型テーブルタップ２ｃ。
【発明の詳細な説明】
【技術分野】
【０００１】  本考案は、室内の壁付きコンセントとテーブルタップの有効利用に関するものである。
【背景技術】
【０００２】  室内の家具類の裏に隠れた、壁付きコンセントを有効に利用するにはテーブルタップを用い、家具類の表側に出して使用するのが一般的である。
【先行技術文献】
【実用新案登録文献】
【０００３】
【実用新案登録文献１】
実用新案公開平６−２１１８１
【発明の概要】
【発明が解決しようとする課題】
【０００４】  室内に設置されている壁付きコンセントは、家具類が壁際に置かれるため裏に隠れる場合が多く、差し込みプラグを直接手で抜き差しすることが難しい。対処方法としてテーブルタップを繋ぎ、家具等の前の床上に這わす方法があるが固定してないため、両手で差し込みプラグを抜き差しする必要があり面倒である、また床上に這わすため美観上の問題を床に傷を付けたり、人が移動する時や室内の掃除の時に邪魔になる課題があった。【０００５】  文献１の考案は課題を解決する目的は同じであるが解決手段は全く異なる方法であり、コンセントを壁や柱に敷設した凹型溝レールに沿って移動する手段である。文献１の考案を実施するには凹型溝レールの敷設等、効果の割には手間がかかりコスト高になるため実用性が低く、本発明に与えた技術的な影響は無い。
【課題を解決するための手段】
【０００６】  第一の手段として、テーブルタップの本体に、踏み面部が構成された踏み板を装着し、室内の家具類の下端部と床面の間に踏み面をはさむことで、家具類の重さで踏み板と一体となったテーブルタップの本体の位置の固定をすることができ、片手でも差し込みプラグの抜き差しが出来る踏み板付きテーブルタップを提供する。【０００７】  第二の手段として、踏み板を金属製のＬ字型の踏み板１ａとし、縦片Ｂはテーブルタップ本体の裏面との止めビスによる装着面、横片は家具類の下へ差し込む踏み面Ａとした裏面装着型テーブルタップ２ａを提供する。【０００８】  第三の手段として、踏み板を金属製のＬ字型の踏み板１ａとし、横片の踏み面Ａが家具類の下へ差し込まれた状態で縦片Ｂは独立解放していて、テーブルタップ本体の裏面側には縦片Ｂが挿入されるガイド４が設けられている挿入型テーブルタップ２ｂを提供する。【０００９】  第四の手段として、踏み板を金属製か樹脂製の平板型の踏み板１ｂとし、一方を家具類の下へ差し込む踏み面Ａとし、他方をテーブルタップ本体の側面が止めビス７により装着される、平板型の踏み板１ｂを採用した側面装着型テーブルタップ２ｄを提供する。【００１０】  第五の手段として、踏み板を金属製か樹脂製の平板型の踏み板１ｂとし、一方を家具類の下へ差し込む踏み面Ａとし、他方をテーブルタップ本体の裏面が止めビス７により装着される、平板型の踏み板１ｂを採用した裏面装着型テーブルタップ２ｃを提供する。
【発明の効果】
【００１１】  本考案が実施された場合、室内の家具類、書棚、電気製品の裏に隠れて使用され無かったり、使用しにくい壁付きコンセントからテーブルタップを繋ぎ家具類の横か前に出し、押え板を家具類の任意の位置と床面８との間に密着して踏ませれば、家具や柱にねじ穴などの傷を付けずにテーブルタップを固定させることが出来る。固定されたテーブルタップは通常の壁付きコンセントと同様に固く固定されるため、片手で差し込みプラグを抜き差し出来ること、テーブルタップ本体を移動する場合は簡単に着脱可能であること、又人が室内で移動する時や掃除をする時に邪魔にならないことや美観上の利点等が有る。
【図面の簡単な説明】
【００１２】
【図１】  Ｌ字型の踏み板付きテーブルタップを設置した状態の側面図
【図２】  Ｌ字型の踏み板付きテーブルタップを設置した状態の正面図
【図３】  Ｌ字型の踏み板付きテーブルタップを横置き設置した状態の側面図
【図４】  Ｌ字型の踏み板付きテーブルタップを横置き設置した状態の平面図
【図５】  Ｌ字型の踏み板付きで挿入ガイド付きのテーブルタップの挿入前の側面図
【図６】  Ｌ字型の踏み板付きで挿入ガイド付きのテーブルタップの挿入後の背面図
【図７】  Ｌ字型の踏み板付きで挿入ガイド付きの横置きテーブルタップの側面図
【図８】  平板型の踏み板付きで横置きテーブルタップを設置した状態の側面図
【図９】  平板型の踏み板付きで横置きテーブルタップを設置した状態の正面図
【図１０】  平板型の踏み板付きで上向きテーブルタップを設置した状態の側面図
【発明を実施するための形態】
【００１３】  床面に自在に置かれているテーブルタップを、壁付きコンセントと同様に固定する目的をテーブルタップ本体に踏み板を装着し家具類の下端部で踏むことで実現した。
【実施例１】
【００１４】  図１と図２は、テーブルタップ本体を縦置き使用とし裏面を金属製のＬ字型の踏み板１ａの縦片Ｂに止めビス７で装着する裏面装着型テーブルタップ２ａである。Ｌ字型の踏み板１ａの横片は踏み面Ａとして家具類の下端部を浮かせ床面８との間の任意の位置に密着するまで押し込んだ後家具類を降ろせば、その重さでＬ字型の踏み板１ａと一体となったテーブルタップ本体を固く固定できる、その後テーブルタップの差し込みプラグ３ａを家具類の裏側に隠れている壁付きコンセントに差し込めば、固定されたテーブルタップ本体は壁付きコンセントと同様に電気機器用差し込みプラグ３ｂを片手でも抜き差し可能となる。又図３と図４で説明する実施例のテーブルタップ本体を横置き装着しても同様の効果がある。尚、緩衝ゴム材５は家具類を保護する目的で接触面に貼る。
【実施例２】
【００１５】  図５と図６は、実施例１と同じくＬ字型の踏み板１ａを用いるが、その縦片Ｂはテーブルタップ本体と固定せず独立解放していて、テーブルタップ本体の裏面に縦片Ｂが挿入可能な踏み板挿入用ガイド４を設け、着脱可能とした挿入型テーブルタップ２ｂである。使用方法は実施例１と同じであるが、Ｌ字型の踏み板１ａを複数個既設すれば、家具類を持ち上げることなく位置を移動できることと、踏み板１ａから外して床上で自在に使用できる利点がある。又図７で説明する実施例はテーブルタップ本体を横置きとして使用するが壁付きコンセントの方向によっては右挿入、左挿入を可能にするため挿入ガイドは貫通した形状である。
【実施例３】
【００１６】  図８と図９は平板型の踏み板１ｂを用い、平板の一方とテーブルタップ本体の側面を止めビス７で装着し、他方の部分は踏み面Ａとする側面固定型テーブルタップ２ｄである。このタイプはテーブルタップを横置き仕様として使用する実施例で、利点としてはコンセントの口数が１〜５個と多連にできるが、コードの出口方向に制約があるためテーブルタップ本体の両側面を装着面とする必要がある。図１０は同じく平板型の踏み板１ｂを用いるがテーブルタップ本体を上向きに装着する実施例である。
【符号の説明】
【００１７】１ａ  Ｌ字型の踏み板
１ｂ  平板型の踏み板
２ａ  Ｌ字型の踏み板の裏面装着型テーブルタップ
２ｂ  Ｌ字型の踏み板の挿入型テーブルタップ
２ｃ  平板型の踏み板の裏面装着型テーブルタップ
２ｄ  平板型の踏み板の側面装着型テーブルタップ
３ａ  テーブルタップ用差し込みプラグ
３ｂ  電気機器用差し込みプラグ
４    踏み板の縦片挿入用ガイド
５    緩衝ゴム材
６    家具・書棚類の下端部
７    止めビス
８    床面
Ａ    踏み面
Ｂ    縦片
【図１】
2016131140.tif 000003
【図２】
2016131140.tif 000004
【図３】
2016131140.tif 000005
【図４】
2016131140.tif 000006
【図５】
2016131140.tif 000007
【図６】
2016131140.tif 000008
【図７】
2016131140.tif 000009
【図８】
2016131140.tif 000010
【図９】
2016131140.tif 000011
【図１０】
2016131140.tif 000012
【手続補正書】
【提出日】平成28年3月22日(2016.3.22)
【手続補正１】
【補正対象書類名】特許請求の範囲
【補正対象項目名】全文
【補正方法】変更
【補正の内容】
【特許請求の範囲】
【請求項１】
テーブルタップ本体に、踏み面が構成された踏み板が装着され、室内の家具類と床面との間に踏み面をはさみ、家具類の重さで踏み板と一体となったテーブルタップ本体の位置を固定することを目的とする踏み板付きテーブルタップ。
【請求項２】
請求項１の踏み板を金属製のＬ字型の踏み板１ａとし、縦片Ｂは止めビス７によるテーブルタップ本体の裏面との装着面、横片は家具類の下へ差し込む踏み面Ａとした裏面装着型テーブルタップ２ａ。
【請求項３】
請求項１の踏み板を金属製のＬ字型の踏み板１ａとし、横片の踏み面Ａは家具類の下へ差し込まれた状態で縦片Ｂは独立解放している、テーブルタップ本体の裏面側には縦片Ｂが挿入されるガイド４が設けられていて、使用時は縦片Ｂに挿入して設置する挿入型テーブルタップ２ｂ。
【請求項４】
請求項１の踏み板を金属製か樹脂製の平板型の踏み板１ｂとし、一方を家具類の下へ差し込む踏み面Ａとし、他方はテーブルタップ本体の側面が止めビス７により装着される、平板型の踏み板１ｂを採用した側面装着型テーブルタップ２ｄ。
【手続補正２】
【補正対象書類名】明細書
【補正対象項目名】全文
【補正方法】変更
【補正の内容】
【発明の詳細な説明】
【技術分野】
【０００１】              本考案は、室内の壁付きコンセントとテーブルタップの有効利用に関するものである。
【背景技術】
【０００２】              室内の家具類の裏に隠れた、壁付きコンセントを有効に利用するにはテーブルタップルを繋ぎ、家具類の表側に出して使用するのが一般的である。
【先行技術文献】
【実用新案登録文献１】
実用新案公開平６−２１１８１
【発明の概要】
【発明が解決しようとする課題】
【０００４】              室内に設置されている壁付きコンセントは、家具類が壁際に置かれているため裏に隠れる場合が多く、差し込みプラグを直接手で抜き差しすることが難しい。
対処方法としてテーブルタップを繋ぎ、家具等の前の床上に這わす方法が有るが固定してないため、両手で差し込みプラグを抜き差しする必要があり面倒である、また床上に這わすため美観上の問題と床に傷を付けたり、人が移動する時や室内の掃除の時に邪魔になる課題があった。【０００５】              文献１の考案は課題を解決する目的は同じであるが解決手段は全く異なる方法であり、コンセントを壁や柱に敷設した凹型溝レールに沿って移動する手段である。文献１の考案を実施するには凹型溝レールの敷設等、効果の割には手間がかかりコスト高になるため実用性が低く、本発明に与えた技術的な影響は無い。
【課題を解決するための手段】
【０００６】              第一の手段として、テーブルタップ本体に、踏み面部が構成された踏み板を装着し、室内の家具類の下端部と床面の間に踏み面をはさむことで、家具類の重さで踏み板と一体となったテーブルタップ本体の位置の固定をすることができ、片手でも差し込みプラグの抜き差しが出来る踏み板付きテーブルタップを提供する。【０００７】              第二の手段として、踏み板を金属製のＬ字型の踏み板１ａとし、縦片Ｂはテーブルタップ本体の裏面との止めビス７による装着面、横片は家具類の下へ差し込む踏み面Ａとした裏面装着型テーブルタップ２ａを提供する。【０００８】              第三の手段として、踏み板を金属製のＬ字型の踏み板１ａとし、横片の踏み面Ａは家具類の下へ差し込まれた状態で縦片Ｂは独立解放している、テーブルタップ本体の裏面側には縦片Ｂが挿入されるガイド４が設けられている挿入型テーブルタップ２ｂを提供する。【０００９】            第四の手段として、踏み板を金属製か樹脂製の平板型の踏み板１ｂとし、一方を家具類の下へ差し込む踏み面Ａとし、他方をテーブルタップ本体の側面が止めビス７により装着される、平板型の踏み板１ｂを採用した側面装着型テーブルタップ２ｄを提供する。
【発明の効果】
【００１０】              本考案が実施された場合、室内の家具類、書棚、電気製品の裏に隠れて使用しにくい壁付きコンセントからテーブルタップを繋ぎ家具類の横か前に出し、押え板を家具類の任意の位置と床面８との間に密着して踏ませれば、家具や柱にねじ穴などの傷を付けずにテーブルタップを固定させることが出来る。固定されたテーブルタップは通常の壁付きコンセントと同様に堅固に固定されるため、片手で差し込みプラグを抜き差し出来ること、テーブルタップ本体を移動する場合は簡単に着脱可能であること、又人が室内で移動する時や掃除をする時に邪魔にならないこと、及び美観上の利点等が有る。
【図面の簡単な説明】
【００１１】
【図１】Ｌ字型の踏み板付テーブルタップを設置した状態の側面図
【図２】Ｌ字型の踏み板付テーブルタップを設置した状態の正面図
【図３】Ｌ字型の踏み板付テーブルタップを横置き設置した状態の側面図
【図４】Ｌ字型の踏み板付テーブルタップを横置き設置した状態の平面図
【図５】Ｌ字型の踏み板付きで挿入ガイド付きのテーブルタップの側面図
【図６】Ｌ字型の踏み板付きで挿入ガイド付きのテーブルタップの背面図
【図７】Ｌ字型の踏み板付きで挿入ガイド付きの横置きテーブルタップ側面図
【図８】平板型の踏み板付きで横置きテーブルタップを設置した状態の側面図
【図９】平板型の踏み板付きで横置きテーブルタップを設置した状態の正面図
【発明を実施するための形態】
【００１２】              床面に自在に置かれているテーブルタップを、壁付きコンセントと同様に固定する目的をテーブルタップ本体に踏み板を装着し家具類の下端部で踏むことで実現した。
【実施例１】
【００１３】              図１と図２は、テーブルタップ本体を縦置き使用とし裏面を金属製のＬ字型の踏み板１ａの縦片Ｂに止めビス７で装着する裏面装着型テーブルタップ２ａである。Ｌ字型の踏み板１ａの横片は踏み面Ａとして家具類の下端部を浮かせ床面８との間の任意の位置に密着するまで押し込んだ後家具類を降ろせば、その重さでＬ字型の踏み板１ａと一体となったテーブルタップ本体を堅固に固定できる、その後テーブルタップの差し込みプラグ３ａを家具類の裏側に隠れている壁付きコンセントに差し込めば、固定されたテーブルタップ本体は壁付きコンセントと同様に電気機器用差し込みプラグ３ｂを片手でも抜き差し可能となる。又図３と図４はテーブルタップ本体を横置き装着した場合の実施例であるが同様の効果がある。尚、緩衝ゴム材５は家具類を保護する目的で接触面に貼る。
【実施例２】
【００１４】              図５と図６は、実施例１と同じくＬ字型の踏み板１ａを用いるが、その縦片Ｂはテーブルタップ本体と固定せず独立解放させ、相対するテーブルタップ本体の裏面に縦片Ｂが挿入可能な踏み板挿入用ガイド４を設け、着脱可能とした挿入型テーブルタップ２ｂである。使用方法は実施例１と同じであるが、Ｌ字型の踏み板１ａを複数個既設すれば家具類を持ち上げることなく位置を移動でき、又踏み板１ａから外して床上で自在に使用できる利点がある。図７で説明する実施例はテーブルタップ本体を横置きとして使用するが壁付きコンセントの方向によっては右挿入、左挿入を可能にするため挿入ガイド４の挿入孔は貫通した形状である。
【実施例３】
【００１５】              図８と図９は平板型の踏み板１ｂを用い、平板の一方とテーブルタップ本体の側面を止めビス７で装着し、他方の部分は踏み面Ａとする側面固定型テーブルタップ２ｄである。このタイプはテーブルタップを横置き仕様として使用する実施例で、利点としてはコンセントの口数が１〜５個と多連にできるが、コードの出口方向に制約があるためテーブルタップ本体の両側面を装着面とする必要がある。
【符号の説明】
【００１６】              １ａ  Ｌ字型の踏み板
１ｂ  平板型の踏み板
２ａ  Ｌ字型の踏み板の裏面装着型テーブルタップ
２ｂ  Ｌ字型の踏み板の挿入型テーブルタップ
２ｄ  平板型の踏み板の側面装着型テーブルタップ
３ａ  テーブルタップ用差し込みプラグ
３ｂ  電気機器用差し込みプラグ
４    踏み板の縦片挿入用ガイド
５    緩衝ゴム材
６    家具、書棚類の下端部
７    止めビス
８    床面
Ａ    踏み面
Ｂ    縦片
【手続補正３】
【補正対象書類名】図面
【補正対象項目名】図１０
【補正方法】削除
【補正の内容】